(57)【要約】 【課題】変化の態様に富んだ遊技機の可動装飾装置を提供する。【解決手段】可動装飾装置は、モータにより揺振機構を介して横方向に往復移動される揺振体２と、モータにより昇降機構を介して上下方向に昇降される昇降体３とを備えている。揺振機構は、軸部４１から放射方向に延伸する突片４２を有しモータ軸に装着されたカムシャフト４と、前記突片４２に押圧される傾斜面２６を有し揺振体２に固定されたカム部材２３と、揺振体２を前記突片４２の押圧方向と逆方向に付勢する弾性体２７と、からなる。昇降体３は、回動軸１５を中心に上下方向に回動するものとして、昇降機構を、回動軸１５から延出されたガイドアーム３２と、カムシャフト２３の軸部４１から放射方向に延出された突出片４３とからなるものとして、ガイドアーム３２と突出片４３とを係合させる。【選択図】図９
2007330355.tif 000002
【特許請求の範囲】
【請求項１】
取付ベースに固定されたモータと、モータの回転により揺振機構を介して横方向に往復移動される揺振体と、モータの回転により昇降機構を介して上下方向に昇降される昇降体とを備えていることを特徴とする遊技機の可動装飾装置。
【請求項２】
揺振機構を、軸部から放射方向に延伸する突片を有しモータ軸に装着されたカムシャフトと、前記突片に押圧される傾斜面を有し揺振体に固定されたカム部材と、揺振体を前記突片の押圧方向と逆方向に付勢する弾性体と、からなるものとした請求項１に記載の遊技機の可動装飾装置。
【請求項３】
昇降体を、取付ベースに横設された回動軸を中心に上下方向に回動するものとしたうえに、
昇降機構を、前記回動軸から延出された昇降体回動用のガイドアームと、カムシャフトの軸部から放射方向に延出され前記ガイドアームに係合して昇降体を上下に回動させるための突出片と、からなるものとした請求項２に記載の遊技機の可動装飾装置。
【請求項４】
ガイドアームに湾曲した溝部を設け、突出片にはこの溝部に挿入される係合突起を設けた請求項３に記載の遊技機の可動装飾装置。
【請求項５】
揺振機構を、一側にカム部を備えモータによって回転されるクランクギアと、前記カム部によって押圧されて先端が揺振体の一部を押圧する揺振レバーと、揺振レバーをカム部による押圧方向と逆方向に付勢する弾性体と、からなるものとした請求項１に記載の遊技機の可動装飾装置。
【請求項６】
昇降体を、縦型レール上を上下方向にスライドするものとしたうえに、
昇降機構を、先端が昇降体に装着される昇降用レバーと、昇降用レバーの基部から延設された分岐アームと、クランクギアの一側に設けられ分岐アームと係合して昇降用レバーを回動させる突起部と、からなるものとした請求項５に記載の遊技機の可動装飾装置。
【請求項７】
昇降体を縦型レールの左右に拡幅された板状のものとして、その板面の左右の一方に昇降用レバーを配設するとともに、対応する他方の板面には、前記昇降用レバーと対象に補助レバーをしたうえに、昇降用レバーと昇降用補助レバーの基端に部分ギアを設けて、これらのギアを噛合させたことを特徴とする請求項６に記載の遊技機の可動装飾装置。
【請求項８】
昇降用レバーと補助レバーの間に、昇降体落下時の衝撃緩和用の弾性体を張架した請求項７に記載の遊技機の可動装飾装置。
【請求項９】
突起部を、昇降用レバーと分岐アームとの間で往復回動させて、昇降体を昇降するようにした請求項６〜８の何れかに記載の遊技機の可動装飾装置。
【発明の詳細な説明】
【技術分野】
【０００１】
本発明は、遊技機の役物に用いられる可動装飾装置に関するものである。
【背景技術】
【０００２】
従来の遊技機において、遊技領域の中央部に設けられた図柄表示装置の回りで演出を行うものとして、例えば特許文献１に開示されたものが知られている。このものは、図柄表示装置の上部に設けられた移動部材が、図柄表示装置の表示状態に合わせて、表示画面の一部を覆う動作を行うことにより演出効果は高まるものの、演出動作自体は移動部材が上下に昇降するだけであるので、遊技の興趣に欠けるものであった。また、移動部材を降下させる手段としてギアとラックを用いているので、装飾の態様を急激に変化させることができないという欠点も合った。
【特許文献１】特開２００４−１５９８４５号公報  (図１)
【発明の開示】
【発明が解決しようとする課題】
【０００３】
本発明は、上記した従来の問題点に鑑み、変化の態様に富んだ遊技機の可動装飾装置を提供することを課題とする。
【課題を解決するための手段】
【０００４】
上記の課題を解決するためになされた本発明の遊技機の可動装飾装置は、取付ベースに固定されたモータと、モータの回転により揺振機構を介して横方向に往復移動される揺振体と、モータの回転により昇降機構を介して上下方向に昇降される昇降体とを備えていることを特徴とするものである。
【０００５】
上記した発明において、揺振機構を、軸部から放射方向に延伸する突片を有しモータ軸に装着されたカムシャフトと、前記突片に押圧される傾斜面を有し揺振体に固定されたカム部材と、揺振体を前記突片の押圧方向と逆方向に付勢する弾性体と、からなるものとすることができる。
また、昇降体を、取付ベースに横設された回動軸を中心に上下方向に回動するものとしたうえに、
昇降機構を、前記回動軸から延出された昇降体回動用のガイドアームと、カムシャフトの軸部から放射方向に延出され前記ガイドアームに係合して昇降体を上下に回動させるための突出片と、からなるものとすることができる。
また、ガイドアームに湾曲した溝部を設け、突出片にはこの溝部に挿入される係合突起を設けた請求項３に記載の遊技機の可動装飾装置。
【０００６】
また、請求項１の発明において、揺振機構を、一側にカム部を備えモータによって回転されるクランクギアと、前記カム部によって押圧されて先端が揺振体の一部を押圧する揺振レバーと、揺振レバーをカム部による押圧方向と逆方向に付勢する弾性体と、からなるものとすることができる。
【０００７】
また、昇降体を、縦型レール上を上下方向にスライドするものとしたうえに、
昇降機構を、先端が昇降体に装着される昇降用レバーと、昇降用レバーの基部から延設された分岐アームと、クランクギアの一側に設けられ分岐アームと係合して昇降用レバーを回動させる突起部と、からなるものとすることができる。
また、昇降体を縦型レールの左右に拡幅された板状のものとして、その板面の左右の一方に昇降用レバーを配設するとともに、対応する他方の板面には、前記昇降用レバーと対称に補助レバーを設けたうえに、昇降用レバーと昇降用補助レバーの基端に部分ギアを設けて、これらのギアを噛合させることができるし、昇降用レバーと補助レバーの間に、昇降体落下時の衝撃緩和用の弾性体を張架することができる。
さらに、突起部を、昇降用レバーと分岐アームとの間で往復回動させて、昇降体の降下速度を規制して昇降体を昇降させることもできる。
【発明の効果】
【０００８】
請求項１の発明は、揺振体と昇降体を一つのモータで駆動させて遊技機の装飾態様に変化を付けることができる。
請求項２の発明は、突片によるカム部材の押圧と、弾性体による揺振体の引き付けにより揺振体を揺動させることができる。
請求項３の発明は、ガイドアームに係合させた突出片を回動することによって昇降体を上下に昇降させることができる。
請求項４に係る発明は、溝部と係合突起とによりガイドアームと突出片とを係合させることができる。
請求項５に係る発明は、カム部による揺振レバーの押圧を介して揺振体を一方に移動させることができ、弾性体の引き付けにより揺振体を元の位置に戻すことができる。
請求項６に係る発明は、突起部を回転させて分岐アームに係合させることによって昇降体を上昇させることができ、係合を外すことによって昇降体を急激に落下させることができる。
請求項７は、昇降用レバーと補助レバーとにより容易に昇降体を昇降させることができる。
請求項８に係る発明は、昇降体落下時の衝撃を小さいものとすることができる。
請求項９に係る発明は、昇降体の降下速度を規制して降下させることができる。よって当該装飾装置は、自由落下を用いた急激な落下と、モータの駆動に合わせた制御落下との二通りの落下動作を行わせることができ、演出の幅を大きく広げることができるという利点がある。
【発明を実施するための最良の形態】
【０００９】
以下に本発明を実施形態に基づき説明する。
図１は、本発明の第１の実施形態である可動装飾装置の基本態様を示す背面側斜視図、図２はその正面側斜視図、図３は要部の構造図である。図において、１は取付ベース、２は揺振体、３は昇降体である。また、１０はカバー部材である。
【００１０】
以下に、揺振機構の構造を説明する。
取付ベース１には、固定側部分球体１１とモータの取付台１２が設けられ、取付台１２に固定されたモータ１３のモータ軸１４にカムシャフト４が装着されている。カムシャフト４は、軸部４１から放射状に伸びる突片４２と、突片４２とは交差する方向に伸びる突出片４３とを備えている。また、突片４２は突部４４を、突出片４３は係合突起４５を有している。
【００１１】
揺振体２は、揺振本体部２１と、揺振側部分球体２２と、カム部材２３とを備えている。固定側部分球体１１と揺振側部分球体２２とはギザギザ状の境界部２４とにより噛合されている。カム部材２３は、板状部２５と傾斜面２６とを有している。また、揺振体２は弾性体であるコイルバネ２７により図１において左方向に付勢されているので、突片４２の突起４４はカム部材２３の板状部２５に当接されている。
【００１２】
以下に昇降機構の構造を説明する。
図１において取付ベース１には、取付ベース１の左右に渡る回動軸１５が横設されている。この回動軸１５には、図４に示すように、回動用アーム３１が装着され、この回動用アーム３１の先端には、１／４球面に形成した昇降体３が固定されている。よって、昇降体３は回動軸１５を中心に上下方向に回動して昇降することができる。
【００１３】
回動用アーム３１の基部には、ガイドアーム３２が回動用アーム３１と異なる方向に伸びて設けられている。このガイドアーム３２は、突出片４３の係合突起４５が摺動する溝部３３を有し、この溝部３３はガイドアーム３２の基端側の直線部３４と先端側の円弧部３５とからなる。円弧部３５の円弧は、モータ軸１４と同心に形成されている。
【００１４】
以下に、上記した可動装飾装置における揺振体２の揺動、昇降体３の昇降動について説明する。
図３の状態から出発してカムシャフト４が反時計回り方向に回動されると、突片４２の突部４４は傾斜面２６上を昇るように摺動するので、カム部材２３はモータ１３側に押圧される（図５）。この押圧によってカム部材２３と一体に固定されている揺振体２もともにモータ１３側に移動される（図７、８、２５、２６）。次いで、モータ１３が時計回り方向に逆回転されることによって、突部４４は傾斜面２６を下るので、バネ２７の付勢により揺振体２はモータ１３と反対方向に移動されることとなる。このとき、係合突起４５は円弧部３５内を移動するのでガイドアーム３２は回動されたりすることはない。
【００１５】
引き続いて、モータ１３が時計回り方向に回転されると、図４に示すように、係合突起４５は円弧Ｐに沿って移動するので、係合突起４５はガイドアーム３２の直線部３４の上側部分を持ち上げようとする。これによってガイドアーム３２には回動軸１５を中心として反時計回り方向への回動力が働く。よって、回動用アーム３１も反時計回りに回動されるので、昇降体３もともに回動されることになる。回動中に係合突起４５と回動軸１５との距離が変化するため、回動スピードが変化する。すなわち、係合突起と回転軸１５との距離がもっとも近づいたときにガイドアーム３２の回動スピードはもっとも速くなるので、動きの面白さを出すことができる。（図６、図９、図１０）。
【００１６】
昇降体３を上昇させるときには、モータ１３が反時計回り方向に回転されて、図６に示すように、係合突起４５は円弧Ｐに沿って反時計回りに移動するので、係合突起４５はガイドアーム３２を回動軸１５を中心として時計回り方向へ回動させる。これによって、昇降体３は回動アーム３１を介して上方に回動されて上昇されることとなる。
【００１７】
次に第２の実施形態の可動装飾装置について説明する。
図１１は、第２の実施形態の可動装飾装置の全体構造を示す背面側斜視図である。図において、２は揺振体、３は昇降体である。
図１２、１３は揺振機構の要部を示す図であって、揺振体２は、その背面にブラケット２８が固定され、このブラケット２８が取付ベース（図示していない）の支持部１５間に横設されたガイドバー１６に摺動可能に装着されている。ブラケット２８には、水平方向に突出する水平バー２９を有している。
【００１８】
この実施形態において、揺振機構は、モータ１３と、一側にカム部５１を備えモータ１３によって回転されるクランクギア５と、カム部５１によって押圧される凸部６１を中程に有する揺振レバー６と、水平バー２９をカム部５１による押圧方向と逆方向に付勢する弾性体３０と、からなるものである。揺振レバー６は、軸６２を中心に上向きに設けられている。弾性体３０の一方は水平バー２９の先端に掛着され、他方は取付ベース（図示していない）に掛着されている。
【００１９】
揺振体２の揺振動を図１４，１５により説明する。すなわち、モータ１３のモータギア１７によりクランクギア５が反時計回りに回転されると凸部６１がカム部５１によって押圧される（図１５）。これによって揺振レバー６の先端がブラケット２８の水平バー２９を押圧するので、揺振体２は図１２において右方向に移動されることになる。カム部５１による凸部６１の押圧が解除されると、弾性体３０が水平バー６を左方向への引き付けるので、揺振体２は元の位置に戻ることができる。
以上のようにモータ１３を一方向に回転させることによってカム部５１が凸部６１を押圧するたびに揺振体２を左右に繰り返し揺振させることができる。
【００２０】
なお、カム部５１に突起５１ａを設け（図１６）、図１７に示すようなセンサー部１９ａを有するセンサー１９を図１８のようにして配設することによって、カム部５１の位置を検出している。これを基準とすることにより、モータ１３の駆動を制御している。制御の一例として、モータ１３を正逆回転させて、カム部５１が凸部６１を押圧していない状態（図１４）とカム部５１が凸部６１を押圧している状態（図１５）との間を往復させることによって、前述した一方向に回転させる場合よりも短い周期で揺振体２を左右に揺振させることができる。
【００２１】
次に昇降体の昇降機構を説明する。
図１１において、昇降体３は、左右に拡幅された板状のものであって、中程に摺動部３６を有し、この摺動部３６は縦型レール１８の間を上下方向にスライドする。
昇降機構は、図１１において昇降体３の背面の左側部分に配設された昇降用レバー７と、昇降用レバー７の基部から延設された分岐アーム７１と（図２０）、クランクギア５の正面側側面に設けられた突起部５５とを備える（図２０）。昇降用レバー７は、先端の凸部７４が昇降体３の支持部３８に装着され軸７２を中心に回動する（図１１）。その基端側端部には部分ギア７３が形成されている。突起部５５は分岐アーム７１と係合することによって昇降用レバー７を上下方向に回動させる（図２０）。
【００２２】
図１１において昇降体３の背面の右側部分には、前記昇降用レバー７と対象に昇降用の補助レバー８が配設されている。補助レバー８は先端の凸部８３が昇降体３の支持部３８に装着され軸８１を中心に回動する。補助レバー８の基端には部分ギア８２が設けられ、部分ギア７３と部分ギア８２とは噛合されているので、昇降用レバー７の回動により補助レバー８も回動される。昇降用レバー７と補助レバー８の間には、昇降体３が落下したときの衝撃を緩和するための弾性体８５が張架されている（図２１）。この場合、一方向に回転させる場合と異なり、昇降体３を昇降させなくても揺振体２を複数回揺振させることができる。
【００２３】
以下に第２の実施形態における昇降体３の昇降動を図２１〜２４により説明する。
図２１の状態においては、突起部５５はクランクギア５により回動されて分岐アーム７１を持ち上げているので、昇降体３も最大持ち上げられている。部分ギア７３と部分ギア８２は噛合して回動されているので、昇降用レバー７と補助レバー８とにより昇降体３は水平状態を維持したまま上昇されている。
【００２４】
さらに、突起部５５の回動が進むと突起部５５と分岐アーム７１との係合が外れるので、昇降体３は図２３のように急激に落下することとなる。このとき凸部７４，８３はそれぞれ支持部３８内を内方に移動する。その後、昇降用レバー７と補助レバー８とにそれぞれ設けられた規制部７６、８６が取付ベースに設けられたストッパー（図示していない）に当接することで、昇降体３の落下は規制される。なお、昇降用レバー７と補助レバー８との間に弾性体８５を張架させることで、昇降体３の自重の一部とバランスさせて落下速度を抑制し、規制部７６、８６が前記ストッパーに当接したときの衝撃を緩和することができる。
【００２５】
さらに、突起部５５の回転が進むと、図２４に示すように、突起部５５は再び分岐アーム７１と係合し、これを持ち上げることとなるので、昇降体３も再び上昇することとなる。凸部７４，８３はそれぞれ支持部３８内を外方に移動する。
以上のようにして、揺振体２の揺動と昇降体３の昇降とを繰り返し行なうことができる。
【００２６】
また、図２３の状態になる前、つまり突起部５５と分岐アーム７１との係合が外れる前に、突起部５５を逆回転（図２３からみて反時計回り）に回動させることにより、突起部５５の回転に合わせた昇降体３の降下を行うことが可能となる。その後、規制部７６、８６が取付ベースに設けられたストッパー（図示していない）に当接することで、昇降体３の降下が規制されたときに、再び逆回転（図２３からみて時計回り）させることで昇降体３も上昇することになる。この場合、昇降体３が最も降下している状態（図２３）と、カム部５１が凸部６１を押圧せずに昇降体３が最も上昇している状態との間の内、任意の位置でモータ１３を正逆回転させることによって、揺振体２を揺振させないまま、昇降体３を短い周期で複数回昇降させることもできる。
以上のように、自由落下を用いた急激な降下と、モータ１３の駆動に合わせて制御可能な制御降下との二通りの降下動作を行わせることができ、演出の幅をいっそう広げることが可能となる。
【図面の簡単な説明】
【００２７】
【図１】第１の実施形態の可動装飾装置の背面側の斜視図である。
【図２】第１の実施形態の可動装飾装置の正面側の斜視図である。
【図３】揺振機構の要部の側面図（ａ）と、背面図（ｂ）である。
【図４】昇降機構の要部の側面図である。
【図５】揺振体が移動された揺振機構の要部の側面図（ａ）と、背面図（ｂ）である。
【図６】昇降体が下方に回動された昇降機構の要部の側面図である。
【図７】揺振体が移動された可動装飾装置の背面側の斜視図である。
【図８】揺振体が移動された可動装飾装置の正面側の斜視図である。
【図９】昇降体が落下された可動装飾装置の背面側の斜視図である。
【図１０】昇降体が落下された可動装飾装置の正面側の斜視図である。
【図１１】第２の実施形態の可動装飾装置の背面側の斜視図である。
【図１２】第２の実施形態の揺振機構要部の背面図である。
【図１３】第２の実施形態の揺振機構要部の平面図である。
【図１４】クランクギア近傍の揺振機構の背面図である。
【図１５】揺振体が押圧された状態のクランクギア近傍の揺振機構の背面図である。
【図１６】クランクギアの斜視図である。
【図１７】位置検出センサーの斜視図である。
【図１８】位置検出センサーがセットされたクランクギア近傍の背面図である。
【図１９】昇降機構の正面側斜視図である。
【図２０】昇降体を取り除いて示す昇降機構の正面側斜視図である。
【図２１】正面側から透視して示す昇降機構の正面図である。
【図２２】昇降機構の平面図である。
【図２３】昇降体が落下した状態である昇降機構の正面図である。
【図２４】昇降体が上昇途中である昇降機構の正面図である。
【図２５】図７の状態における可動装飾装置の背面図である。
【図２６】図２５のＡ−Ａ線断面図である。
【符号の説明】
【００２８】
２  揺振体、３  昇降体、４  カムシャフト、１５  回動軸、２３  カム部材、２６  傾斜面、４１  軸部、４２  突片、４３  突出片、３２  ガイドアーム
【図１】
2007330355.tif 000003
【図２】
2007330355.tif 000004
【図３】
2007330355.tif 000005
【図４】
2007330355.tif 000006
【図５】
2007330355.tif 000007
【図６】
2007330355.tif 000008
【図７】
2007330355.tif 000009
【図８】
2007330355.tif 000010
【図９】
2007330355.tif 000011
【図１０】
2007330355.tif 000012
【図１１】
2007330355.tif 000013
【図１２】
2007330355.tif 000014
【図１３】
2007330355.tif 000015
【図１４】
2007330355.tif 000016
【図１５】
2007330355.tif 000017
【図１６】
2007330355.tif 000018
【図１７】
2007330355.tif 000019
【図１８】
2007330355.tif 000020
【図１９】
2007330355.tif 000021
【図２０】
2007330355.tif 000022
【図２１】
2007330355.tif 000023
【図２２】
2007330355.tif 000024
【図２３】
2007330355.tif 000025
【図２４】
2007330355.tif 000026
【図２５】
2007330355.tif 000027
【図２６】
2007330355.tif 000028